(57)【要約】  シート状包装材料（２）を折り曲げてシールすることで製造され、頂部横方向シール（１２）で互いに結合された前側および後側の傾斜頂壁（１０，１１）と、前記前側および後側の傾斜頂壁（１０，１１）のそれぞれ側縁（１５，１６）を連結する一対の側頂壁（１８，１９）とを含む山形頂部（４）を備えて構成され、前記側頂壁（１８，１９）のおのおのは、シート状包装材料（２）のそれぞれ部分（４６，４７）を多数のパネル（Ａ，Ｂ，Ｃ，Ｄ，Ｅ，Ｆ，Ｇ）の境界を定める予め決められた折り線（３１，３３，４２，４４，５０，５１，５４，５５，５６，６５；３１，３３，４３，４５，５２，５３，５７，５８，５９，６６）に沿って折り曲げることで得られる流動食品用の山形頂部パッケージ（１，１’）であって、パネル（Ａ，Ｂ，Ｃ，Ｄ，Ｅ，Ｆ，Ｇ）を剛体としてそれぞれの折り線（３１，３３，４２，４４，５０，５１，５４，５５，５６，６５；３１，３３，４３，４５，５２，５３，５７，５８，５９，６６）のまわりに回転させることで側頂壁（１８，１９）が成形されるように設計された複数の可能な折り線の中から前記折り線（３１，３３，４２，４４，５０，５の１，５４，５５，５６，６５；３１，３３，４３，４５，５２，５３，５７，５８，５９，６６）が決定される。
2007532414.tif 000002
【特許請求の範囲】
【請求項１】
シート状包装材料（２）を折り曲げてシールすることで製造され、頂部横方向シール（１２）で互いに結合された前側および後側の傾斜頂壁（１０，１１）と、前記前側および後側の傾斜頂壁（１０，１１）のそれぞれ側縁（１５，１６）を連結する一対の側頂壁（１８，１９）とを含む山形頂部（４）を有して構成され、前記側頂壁（１８，１９）のおのおのは、シート状包装材料（２）のそれぞれの部分（４６，４７）を多数のパネル（Ａ，Ｂ，Ｃ，Ｄ，Ｅ，Ｆ，Ｇ）の境界を定める予め決められた折り線（３１，３３，４２，４４，５０，５１，５４，５５，５６，６５；３１，３３，４３，４５，５２，５３，５７，５８，５９，６６）に沿って折り曲げることで達成される流動食品用の山形頂部パッケージ（１，１’）であって、前記パネル（Ａ，Ｂ，Ｃ，Ｄ，Ｅ，Ｆ，Ｇ）を剛体としてそれぞれの折り線（３１，３３，４２，４４，５０，５１，５４，５５，５６，６５；３１，３３，４３，４５，５２，５３，５７，５８，５９，６６）のまわりに回転させることで側頂壁（１８，１９）が成形されるように設計された複数の可能な折り線の中から前記折り線（３１，３３，４２，４４，５０，５の１，５４，５５，５６，６５；３１，３３，４３，４５，５２，５３，５７，５８，５９，６６）が決定されることを特徴とする山形頂部パッケージ。
【請求項２】
側頂壁（１８，１９）を形成するために望まれる折り腺（３１，３３，４２，４４，５０，５１，５４，５５，５６，６５；３１，３３，４３，４５，５２，５３，５７，５８，５９，６６）が、少なくともそれぞれの側頂壁（１８，１９）に沿って前記頂部横方向シール（１２）に集中する反対両側の縁の間に形成される頂角（α）の値と、前記頂部横方向シール（１２）に交差する方向に沿う前記前側および後側の傾斜頂壁（１０，１１）の一方の長さ（ｌ）の値とを選ぶことで得られることを特徴とする請求項１に記載されたパッケージ。
【請求項３】
角柱形の本体部分（２８）と、前期頂部横方向シール（１２）によって境界を定められた少なくとも一つのテーパー形端部（２９）とを有しており、前記前側および後側の傾斜頂壁（１０，１１）を定め、前記側頂壁（１８，１９）を得るために食品用に利用できるパッケージ頂部空間の外側に折り曲げられるように設計された反対方向へ突出する頂部側方折り代（１３，１４）を備えた中間的なパック（２６）から得られることを特徴とする請求項１または請求項２に記載されたパッケージ。
【請求項４】
それぞれの前記頂部側方折り代（１３，１４）が前記前側および後側の傾斜頂壁（１０，１１）の一方（１０）に隣接する一つの側面と、前記頂部横方向シール（１２）のそれぞれの側方端部（１２ａ，１２ｂ）で形成され、前記前側および後側の傾斜頂壁（１０，１１）の他方（１１）に隣接して位置する他の側面とを有することを特徴とする請求項３に記載されたパッケージ。
【請求項５】
シート状包装材料（２）を折り曲げてシールすることで製造され、頂部横方向シール（１２）で互いに結合された前側および後側の傾斜頂壁（１０，１１）と、前記前側および後側の傾斜頂壁（１０，１１）のそれぞれの側縁（１５，１６）を連結する一対の側頂壁（１８，１９）とを含む山形頂部（４）を有し、前記側頂壁（１８，１９）がシート状包装材料（２）のそれぞれの部分（４６，４７）を多数のパネル（Ａ，Ｂ，Ｃ，Ｄ，Ｅ，Ｆ，Ｇ）の境界を定める予め決められた折り線（３１，３３，４２，４４，５０，５１，５４，５５，５６，６５；３１，３３，４３，４５，５２，５３，５７，５８，５９，６６）に沿って折り曲げることで得られる流動食品用の山形頂部パッケージ（１，１’）の寸法を決める方法であって、前記パネル（Ａ，Ｂ，Ｃ，Ｄ，Ｅ，Ｆ，Ｇ）を剛体としてそれぞれの折り線（３１，３３，４２，４４，５０，５１，５４，５５，５６，６５；３１，３３，４３，４５，５２，５３，５７，５８，５９，６６）のまわりに回転させることで側頂壁（１８，１９）が成形されるように、前記折り線（３１，３３，４２，４４，５０，５の１，５４，５５，５６，６５；３１，３３，４３，４５，５２，５３，５７，５８，５９，６６）の位置および範囲を決める段階を含むことを特徴とする方法。
【請求項６】
前記折り線（３１，３３，４２，４４，５０，５の１，５４，５５，５６，６５；３１，３３，４３，４５，５２，５３，５７，５８，５９，６６）の位置および範囲を決める前記段階が、それぞれの側頂壁（１８，１９）に沿って前記頂部横方向シール（１２）に集中する反対両側の縁の間に形成される頂角（α）の望ましい値と、前記頂部横方向シール（１２）と交差する方向に沿う前記前側および後側の傾斜頂壁（１０，１１）の一方の長さ（ｌ）の値とを選ぶ段階に基づいて行われることを特徴とする請求項５に記載された方法。
【請求項７】
前記折り線（３１，３３，４２，４４，５０，５の１，５４，５５，５６，６５；３１，３３，４３，４５，５２，５３，５７，５８，５９，６６）の位置および範囲を決める前記段階が、パッケージ（１，１’）の山形頂部４を形成するための前記シート状包装材料（２）の部分に、
前記頂部横方向シール（１２）の境界を定める第一の横方向折り線（３１）と、
前記山形頂部（４）の水平方向コーナーを形成するための、前記選ばれた長さ（ｌ）に等しい前記第一の横方向折り線（３１）からの距離に位置される第二の横方向折り線（３３）と、
前記第一および第二の横方向折り線（３１，３２）とともに、前記側頂壁（１８，１９）を定める一対の第一の部分（４６；４７）および前記前側および後側の傾斜頂壁（１０，１１）を定める一対の第二の部分（４８，４９）の境界を定める多数の長手方向の折り線（４２，４３，４４，４５）であって、前記第一の部分（４６；４７）の外側の前記第二の横方向折り線（３３）のそれぞれの部分とともに前記選ばれた頂角（α）に等しいそれぞれの角度を形成する長手方向の折り線（４２，４３，４４，４５）とを設計する段階を含むことを特徴とする請求項６に記載された方法。
【請求項８】
前記内側の折り線が、前記第一の部分（４６；４７）に関して、前記第一の横方向折り線（３１）に位置で互いに結ばれて前記第二の横方向折り線（３３）と二等辺三角形の境界を定める一対の第一の傾斜した折り線（５０，５１；５２，５３）を含む前記方法であって、前記第一の部分（４６；４７）の前記内側の折り線を設計する前記段階が、各第一の傾斜した折り線（５０，５１；５２，５３）と前記二等辺三角形の一つの側辺を定める前記第二の横方向折り線の部分との形成する角度（β）を、次式、すなわち
【数１】
2007532414.tif 000004
ｃは形成されるパッケージの幅を示す
により計算する段階を含むことを特徴とする請求項７に記載された方法。
【請求項９】
前記内側の折り線が、前記第一の部分（４６；４７）に関して、前記二等辺三角形内に位置する中間的（６０；６１）からそれぞれの頂点へ延在する三本の傾斜した折り線（５４，５５，５６；５７，５８，５９）を含む前記方法であって、前記内側の折り線を設計する段階が、前記第二の傾斜した折り線（５４，５５，５６；５７，５８，５９）とそれぞれの前記第一の傾斜した折り線（５０，５１；５２，５３）との形成する角度（β２）を、次式、すなわち
【数２】
2007532414.tif 000005
により計算する段階を含むことを特徴とし、
θはそれぞれの長手方向の折り線（４２，４３，４４，４５）と、それに隣接する第一の傾斜した折り線（５０，５１；５２，５３）との間の形成するに形成される角度を示し、θ１は山形頂部（４）の折り曲げが完了した後にそれぞれの長手方向の折り線（４２，４３，４４，４５）と、前記二等辺三角形の一つの側辺を定める前記第二の横方向折り線（３３）の部分との形成する角度を示している請求項８に記載された方法。
【請求項１０】
前記内側の折り線が、前記第一の部分（４６；４７）に関して、前記中間的（６０；６１）から前記第一の横方向折り線（３１）へ延在し、前記第一の傾斜した折り線（５０，５１；５２，５３）と交差し、また前記第一の傾斜した折り線（５０；５２）の前記一方によって互いの間に１８０゜以外の角度を形成するそれぞれ前記二等辺三角形の外側および内側に位置された第一および第二の部分（６７，６８）に分けられる第三の傾斜した折り線（６５；６６）を含む前記方法であって、前記内側の折り線を設計する段階が、前記第三の傾斜した折り線（６５；６６）の前記第一の部分（６７）と、前記第一の部分（４６；４７）のそれぞれの内側に位置する前記第一の横方向折り線（３１）の部分の形成する角度（γ）を、次式、すなわち
【数３】
2007532414.tif 000006
により計算する段階を含むことを特徴とし、
ｌ１は長手方向折り線（４２，４３，４４，４５）の長さを示している請求項９に記載された方法。
【請求項１１】
流動食品用の山形頂部パッケージ（１，１’）を製造するために所定の折り線（３１，３３，４２，４４，５０，５の１，５４，５５，５６，６５；３１，３３，４３，４５，５２，５３，５７，５８，５９，６６）に沿って折り曲げられてシールされるようになされるシート状包装材料（２）であって、前記折り線（３１，３３，４２，４４，５０，５の１，５４，５５，５６，６５；３１，３３，４３，４５，５２，５３，５７，５８，５９，６６）が請求項５から請求項１０までのいずれか一項に記載された方法によって寸法を決められることを特徴とするシート状包装材料。
【発明の詳細な説明】
【技術分野】
【０００１】
本発明は流動食品用の山形頂部パッケージに関するものである。
【背景技術】
【０００２】
知られているように、フルーツ・ジュース、ＵＨＴ（超高温処理）ミルク、ワイン、トマト・ソース等の多くの流動食品は殺菌済み包装材料で作られたパッケージにて販売されている。
【０００３】
パッケージ材料は１層の繊維材料例えばペーパーの両面を熱シール性プラスチック材料例えばポリエチレンで覆った複層構造を有しており、ＵＨＴミルクのような長期保存製品用の無菌パッケージの場合には、パッケージ材料は例えば熱シール性プラスチック材料の層に重ねたアルミニウム被膜で定義される酸素遮断材料層も含み、この材料層はさらに、食品と接触するパッケージ内面を最終的に形成することになる別の熱シール性プラスチック材料によって覆われる。
【０００４】
このようなパッケージの典型例は、テトラ・ブリック・アセプティック（登録商標）として知られている液体または流動食品用の平行六面体形状のパッケージ、および二つの傾いた壁すなわち傾斜壁を頂部横断シールにて結合することで形成された山形頂部を有するテトラ・レックス（登録商標）の商品名で一般に知られているいわゆる「山形頂部」パッケージである。
【０００５】
上述したパッケージはウェブ状パッケージ材料を折り曲げて長手方向にシールすることで得られる連続チューブから形成できる。そのウェブ状パッケージ材料は包装機械において例えば過酸化水素溶液のような化学殺菌剤を付与されて殺菌され、その殺菌剤は殺菌後に加熱蒸発させてパッケージ材料表面から除去される。このように殺菌されたパッケージ材料ウェブは閉じた無菌環境内に保持され、折り曲げて長手方向にシールされて垂直チューブが形成される。
【０００６】
このチューブに無菌または殺菌処理済み食品が充填され、シールされ、そして等間隔の横断部分にて切断されて枕形パックに形成され、この枕形パックが機械的に折り曲げられて完成されたパッケージに形成される。
【０００７】
ウェブ給送式充填／成形機械の二つの基本形式が知られている。より一般的な第一の形式は、二対の往復作動するジョーを有する機械である。この形式の機械は、例えばルンツ（スウェーデン）、ロイジング・ゲートに在るテトラ・パック・カートン・アムビエントＡＢ社、およびモデナ（イタリヤ）、ビア・デルフィーニ１に在るテトラ・パック・カートン・アンビエントＳ．ｐ．Ａ社の製造するＴＢ／２１、ＴＢＡ／１９およびＴＡＢ／２１シリーズを含む。ウェブ給送式成形機械の第二の形式は無端チェーン形式であり、成形ユニットおよびシーリング・ユニットは往復作動するジョーに代えて対面する無端チェーンで担持される。この形式の機械の一例は、これもテトラ・パック・カートン・アンビエントＳ．ｐ．Ａ社の製造するＴＡＢ／２２である。
【０００８】
成形折り曲げおよび最終折り曲げの両方で包装材料の折り曲げを可能にするために、いわゆる「折り線パターン」を形成する折り線が製造ラインにおいて包装材料に形成される。
【０００９】
これに代えて、成形マンドレル上でパッケージに成形されるブランクは包装材料からカットされ、形成されたパッケージには食品を充填してシールすることができる。
【００１０】
特に、成形マンドレル上にて形成されると、未完成パッケージは上方に向けて開口する平行六面体の形状を有する。山形の頂部は、未完成なパッケージ上部の反対両側の側壁を、他側の壁の上縁を整合させるように互いに圧縮されて形成され、その後横方向シールを形成するように互いにシールされる。
【００１１】
このように形成されると、上述形式のパッケージは再閉可能な開口装置の取付けのような他の工程を行われる。
【００１２】
山形頂部のパッケージは再閉可能な開口装置と組合わせることで非常に都合よく使用される。何故なら、斜めの頂部壁は平行六面体の対応する平面部分よりも幅が広く、そのために例えばねじ蓋等を備えたより大きい開口装置の取付けが可能になるからである。
【００１３】
パッケージ製造工業では、特に、包装材料の適正な折り曲げを保証すると同時に山形頂部パッケージのさまざまな形状や寸法を可能にするために、絶えず改良する必要がある。この必要性は、パッケージの多様な美的外観に関する市場の要求から、またいずれの種類の食品についても「息継ぎ」として知られる現象を生じることなく注ぎ出せることを保証する必要性から求められる。この「息継ぎ」現象とは、パッケージからの食品の間歇的な流出であり、遮断された流れ相と、食品の飛散を伴うような荒い急激な流れ相とを特徴とする。
【００１４】
後者については、異なる食品はさまざまに異なる粘性を有するので、適正な注ぎ出しを保証するためには山形頂部にさまざまな高さが要求されることに留意すべきである。
【発明の開示】
【発明が解決しようとする課題】
【００１５】
本発明の目的は、非常に簡単で安価な方法にて上述の必要性を満足させることのできる山形頂部形式のパッケージを提供することである。
【課題を解決するための手段】
【００１６】
この目的は、請求項１に記載された山形頂部パッケージによって達成される。
【００１７】
本発明の他の目的は、包装材料の適正な折り曲げを保証すると同時にさまざまに異なる形状の山形頂部パッケージを寸法決めする装置および方法に関する。
【００１８】
この目的は請求項５に記載された方法によって達成される。
【００１９】
本発明の二つの好ましい非制限的な実施例が例として図面を参照して説明される。
【実施例１】
【００２０】
図１を参照すれば、符号１は本発明による食品用の山形頂部パッケージを示す。
【００２１】
パッケージ１はシート状包装材料２（図６）（以下に「材料２」と称する）から作られ、特に平行六面体の形状の主部３と山形頂部４とを含んでいる。
【００２２】
特に、材料２は一つのパッケージ１を製造するために使用される包装材料の厳密な長さを定めており、また既に説明した形式の複層構造を有している。
【００２３】
主部３は正方形であるのが好ましい基底壁５と、前壁６と、後壁７と、一対の側壁８，９とを有する。
【００２４】
山形頂部４は開口装置２４（図１）を備えた前側傾斜頂壁１０と、パッケージ１の頂部横方向シール１２で前側傾斜頂壁１０と結合された後側傾斜頂壁１１とを含む。
【００２５】
山形頂部４は頂部横方向シール１２の側方端部１２ａ，１２ｂにそれぞれ隣接する一対の頂部側方折り代１３，１４をさらに含み、頂部側方折り代１３，１４は食品が利用するパッケージの頂部空間の外側へ折り曲げられて側壁８，９の延長部に沿って延在するそれぞれの三角形の側頂壁１８，１９を形成する。
【００２６】
各頂部側方折り代１３，１４は、前側傾斜頂壁１０のそれぞれの側縁１５により形成された一つの側面と、頂部横方向シール１２のそれぞれの側方端部１２ａ，１２ｂにより形成されて後側傾斜頂壁１１のそれぞれの側縁１６上に折り曲げられた他の側面とを有する。
【００２７】
側方折り代１３，１４は側壁８，９のそれぞれの三角形頂部２０の上に折り曲げられる。頂部２０は平坦で、以下に詳しく説明されるようにそれぞれの側壁８，９に対して実質的に共面状態であるか、わずかに内方へ傾けられる。
【００２８】
パッケージ形状の理解を深めるために、図３〜図７が参照される。
【００２９】
パッケージ１は包装材料の連続チューブ（図示せず）から形成され、その連続チューブは包装材料ウェブを折り曲げて長手方向にシールすることで形成され、材料２（図６）の長さ部分が繰返されて形成される。さらに正確には、材料２の縁部２１は反対側の縁部２２の上に重ねてシールされ、これにより完成パッケージ１の後壁７の垂直中心線に実質的に沿って延在する長手方向シール２３が形成されるようになされる。
【００３０】
その後、チューブは規則的な間隔を隔てて横方向にシールされ、その横方向シールに沿って切断されていわゆる枕形状パック（図示せず）が形成されるのであり、枕形状パックは複数の最終折り曲げ段階を経て完成パッケージ１に変形される。
【００３１】
知られているように、枕形状パックは平行六面体の基本部分と、その基本部分からそれぞれの横方向シールへと逆方向に向かうテーパー端部とを有する。
【００３２】
図３、図４および図５は符号２６を付された中間的なパック２６を示しており、これは一方のテーパー端部を平坦状態にすることで得られる。
【００３３】
特に、中間的なパック２６は、完成パッケージ１の主部３の壁５，６，７，８，９にそれぞれ対応する基底壁および四つの側壁で形成される平行六面体の基本部分２８と、完成パッケージ１の山形頂部４を形成するように設計された基本部分２８から頂部横方向シール１２へ向かってテーパーを付された上側テーパー端部２９とを含む。
【００３４】
さらに詳しくは、上側テーパー端部２９は、完成パッケージ１の前側および後側の傾斜頂壁１０，１１を形成しており、また、傾斜頂壁１０，１１の反対両側から突出して上述のよう側壁８，９のそれぞれの頂部２０の上に折り曲げられる側方折り代１３，１４を備えている。
【００３５】
これに代えて、中間的なパック２６は材料２の長さにそれぞれ等しい包装材料のブランクから形成することができ、それらのブランクは成形マンドレル（図示せず）上でパックに形成され、形成されたパックは食品を充填されてシールされる。
【００３６】
材料２（図６）は折り線パターン３０、すなわち折り線形成ロールによって形成されて、成形段階および最終折り曲げ段階の間に材料がそれに沿って折り曲げられる折り曲げ線を形成する複数の弱化線を含む。
【００３７】
折り線パターン３０は、知られているように四つの横方向折り線３１，３２，３３，３４を含む。線３１，３２は材料２の横方向端部の近くに位置し、頂部および底部の横方向シール箇所３１ａ，３２ａのそれぞれの境界を定める。線３３，３４は山形頂部４および基底壁５の水平コーナーを形成し、明瞭にするために図１、図３、図４および図５にも示されている。
【００３８】
折り線パターン３０はまた、知られているように、パッケージ１の側方コーナーを形成する、また横方向折り線３３，３４の間を延在する四本の長手方向の折り線３５，３６，３７，３８と、線３４および底部横方向シール部分３２ａの間に含まれる複数の折り線４０とを含み、折り線４０は折り曲げて基底壁５を形成するように平坦化される中間的なパック２６の底部側方折り代（知られているので示されていない）を形成するように設計されている。折り線４０は周知の配置であり、詳細には示されない。
【００３９】
長手方向の折り線３５，３６はそれぞれ側方縁部２１，２２の近くに位置し、長手方向の折り線３７，３８は線３５，３６の間に配置されている。
【００４０】
明瞭にするために、パッケージ１の前壁６は線３７，３８で境界を定められ、後壁７は線３５，３６で境界を定められ、側壁８，９は線３５，３７で境界を定められ、側壁９は線３６，３８で境界を定められる。
【００４１】
折り線パターン３０（図５および図６）は横方向の折り線３１，３３の間に含まれる部分における複数の追加される折線をさらに含む。その追加される折線は、四本の実質的に長手方向の折り線４２，４３，４４，４５を含み、それらの折り線は前側傾斜頂壁１０および後側傾斜頂壁１１の側方コーナーを定めており、また、線３３と長手方向の線３５，３６，３７，３８のそれぞれとの交点から延在されている。図示例では、線４２，４３，４４，４５は上方へ向かってテーパーを付された台形の壁１０，１１を形成するようにわずかに傾斜されているが、完全に長手方向とされる、すなわち線３５，３６，３７，３８の延長線を形成することができる。
【００４２】
線４２，４４と、線４２，４４の間に含まれる頂部横方向シール部分３１ａと、交点３５ａ，３７ａの間に含まれる線３３の部分とは、側壁８の側方折り代１３および頂部２０を定める。同様に線４３，４５と、線４３，４５の間に含まれる頂部横方向シール部分３１ａと、交点３６ａ，３８ａの間に含まれる線３３の部分とは、側壁９の側方折り代１４および頂部を定める。さらに、長手方向の折り線４２，４３，４４，４５と、横方向の線３３と、頂部横方向シール部分３１ａとは他の二つの部分４８，４９の境界を定め、それらの部分はそれぞれ部分４６，４７の間に配置され、それぞれ前側および後側の傾斜頂壁１０，１１を定める。
【００４３】
折り線３７はさらに、折り代部分４６，４７において、それぞれ点３５ａ，３７ａおよび３６ａ，３８ａから延在してそれぞれ折り線３１に沿う点３１ｂおよび３１ｃにて交わるそれぞれ二本の傾いた折り線５０，５１および５２，５３を含み、それぞれ部分３５ａ，３７ａおよび部分３６ａ，３８ａの間に含まれる線３３の部分とともに二等辺三角形を形成する。
【００４４】
それぞれ線５０，５１および５２，５３は側方折り代１３，１４の横方向に延在する限界を定める。
【００４５】
さらに折り代部分４６に関して符号５４，５５，５６で示される三本の折り線と、折り代部分４７に関して符号５７，５８，５９で示される三本の折り線とがあり、それらはそれぞれ点３５ａ，３７ａ，３１ｂおよび３６ａ，３８ａ，３１ｃから、それぞれの二等辺三角形内に位置する折り代部分４６に関しては符号６０および折り代部分４７に関しては符号６１でそれぞれ示された中間点へ延在している。
【００４６】
折り線５４，５５および折り線５７，５８はそれぞれ折り線５６および折り線５９に対して対称である。
【００４７】
折り代部分４６の線５４，５５は中間点６０と、それぞれの点３５ａ，３７ａとの間を延在し、側壁８の頂部２０の上方へ向かう境界を定める。同様に、折り代部分４７の線５７，５８は中間点６１と、それぞれの点３６ａ，３８ａとの間を延在し、側壁９の頂部２０の上方へ向かう境界を定める。
【００４８】
折り線パターン３７さらに各折り代部分４６，４７に不連続折り線６５，６６、すなわち中断されてはいない不連続線を含み、それらの不連続線はそれぞれの折り線５０，５２と交差しており、それぞれの中間点６０，６１および横方向折り線３１が長手方向折り線４２，４３と交差するそれぞれの点の間を延在する。特に、各不連続折り線６５，６６はそれぞれ折り線５０，５２によって１８０゜に近いが１８０゜ではない角度をなす二つの部分６７，６８に分けられる。部分６７，６８はそれぞれ折り線５０，５２から横方向シール部分３１ａおよびそれぞれの中間点６０，６１へ延在する。
【００４９】
各折り代部分４６，４７の上述した折り線は、詳細に後述する所定の手順に従って折り曲げられる多数の三角形パネルＡ，Ｂ，Ｃ，Ｄ，Ｅ，Ｆ，Ｇの境界を定める。
【００５０】
特に、折り代部分４６を参照すれば、パネルＡは折り線３１，４４，５１で境界を定められ、パネルＢは折り線５１，５５，５６で境界を定められ、パネルＣは折り線３３，５４，５５で境界を定められて側壁８の頂部２０を定めており、パネルＤは折り線５６，折り線６５の部分６８、および折り線６５と３１との間に含まれる折り線５０の部分で境界を定められ、パネルＥは折り線５４，折り線６５の部分６８、および折り線６５と点３５ａとの間に含まれる折り線５０の部分で境界を定められ、パネルＦは折り線３１，折り線６５の部分６７、および折り線６５と折り線３１との間に含まれる折り線５０の部分で境界を定められ、パネルＧは折り線４２，折り線６５の部分６７、および折り線６５と点３５ａとの間に含まれる折り線５０の部分で境界を定められている。
【００５１】
パネルＡ，Ｂ，Ｃ，Ｄ，Ｅ，Ｆ，Ｇの同じ定義が補完的に同様にして折り代部分４７に適用できるので、繰り返して説明しない。何故なら、折り代部分４６，４７は中間を延在して長手方向の折り線３７，３８に平行な軸線に対して対称だからである。
【００５２】
各折り代部分４６，４７が形成される間、パネルＥ，ＢはパネルＣ上に折り曲げられ、パネルＦがパネルＧ上に重ねられ、パネルＡが折り代部分４６，４７の残りの全ての部分を覆ってそれぞれの側頂壁１８，１９を形成する。
【００５３】
本発明の重要な概念によれば、材料２の各折り代部分４６，４７の折り線パターン３０は、側頂壁１８，１９の形成はそれぞれのパネルＡ，Ｂ，Ｃ，Ｄ，Ｅ，Ｆ，Ｇがそれぞれの折り線（折り代部分４６では５０，５１，５４，５５，５６，６５、および折り代部分４７では５２，５３，５７，５８，５９，６６）の回りに剛体として回転することによって達成されるように設計される。
【００５４】
本明細書および請求項において、「剛体としてのパネルの回転」という表現は、特にパネルの重ね合わせ時に生じる厚さが原因する包装材料のわずかな変形を排除するものではない。
【００５５】
さらに詳しくは、パッケージ１の側頂壁１８，１９のそれぞれに沿って、頂部横方向シール１２へ集中する反対両側の縁の間に形成される角度αの値を選び、
頂部横方向シール１２に対して交差する方向へ測定して前側傾斜頂壁１０の長さを選び、
各折り代部分４６，４７のそれぞれの折り線５０，５１，５２，５３，５４，５５，５６，５７，５８，５９，６５，６６の回りにそれぞれのパネルＡ，Ｂ，Ｃ，Ｄ，Ｅ，Ｆ，Ｇを剛体として回転させてパネルの側頂壁１８，１９のそれぞれを形成するように、前記折り線の位置および範囲を決めることによって、材料２の各折り代部分４６，４７の折り線パターン３０が形成される。
【００５６】
各側頂壁１８，１９はそれぞれの折り代部分４６，４７のパネルＡによって定められることから、角度αもまた各線４４，４５とそれぞれの折り代部分４６，４７に位置するそれぞれの折り線３１の部分とによって形成される。
【００５７】
出願人は、上述した段階が以下に説明するように簡単な幾何学公式を用いることで折り代部分４６，４７に別の折り線パターンを定めて別の山形頂部４を得られることを見出した。
【００５８】
簡単にするために、以下の説明は折り代部分４７ならびに図２および図７のみを参照するが、同じ考えが折り代部分４６に等しく適用できるので、繰り返して説明しない。
【００５９】
特に、折り線５２，５３の位置および範囲は、その線５２，５３と、点３６ａおよび点３８ａの間に含まれる折り線３３の部分とが形成する角度βを決めることで得ることができる。
【００６０】
角度βは次式によって長さｌの関数として計算できる。
［数１］
β  ＝  ｔａｎ−１（  １  ／（ｃ／２）  ）
ここで、ｃはパッケージ１の幅であって、与えられたデータで、折り線３６と３８または３５と３７との間の距離に等しい。
【００６１】
角度βはそれぞれ点３６ａ，３８ａから延びて二等辺三角形の等辺を定める線５２，５３の形成を可能にし、その第三の辺は点３６ａ，３８ａの間に含まれる折り線３３の部分で示される。
【００６２】
折り線５７，５８，５９の位置および範囲、および中間点６１の位置は、線５７，５８とそれぞれ折り線５２，５３とで形成される角度β２を決めることで得ることができる。
【００６３】
角度β２は次式によって計算できる。
［数２］
β２  ＝  ｛β  −（θ１−  θ）｝／２
ここで、山形頂部４の折り曲げが完了し、パネルＡがパネルＣ上に重ねられた後の状態で、θは各折り線４３，４５とそれぞれ折り線５２，５３との間に形成される角度を表すのに対して、θ１は各折り線４３，４５と、点３６ａ，３８ａの間に含まれる折り線３３の部分とで形成される角度を表す。
【００６４】
さらに詳しくは、θおよびθ１は次式のように計算できる。
［数３］
θ  ＝  １８０゜  −  α  −β
αも各折り線４３，４５と折り代部分４７の外側に位置してそれぞれ点３６ａ，３８ａから延びている折り線３３のそれぞれの部分とによって形成される角度であることを考慮して、
［数４］
θ１  ＝  ｃｏｓ−１（（ｃ／２）／ｌ１  ）
ここで、ｌ１  は折り線４３，４５長さを表し、次式により長さｌ１および頂部角度αの関数として計算できる。
［数５］
ｌ１  ＝  １／ｃｏｓ（９０  −  α）
【００６５】
θ１の計算式は、山形頂部４の折り曲げ後に折り線４５が直角三角形の斜辺を定め、直角を挟む二辺（ｃａｔｈｅｔｉ）は側頂壁９の頂点から点３６ａ，３８ａの間に含まれる折り線３３の部分の中間点へ延在するセグメントにより、また斜辺に隣接する折り線３３の該部分の半分により認識されることを考慮することで導き出される。
【００６６】
角度β２は折り線５７，５８，５９の形成およびそれらの交点６１の決定を可能にする。
【００６７】
角度β２、θ、θ１を知ることで、折り線５７，５８と点３６ａ，３８ａの間に含まれる折り線３３の部分とで形成される角度β１を計算可能になる。
［数６］
β１  ＝  β２＋（θ１  −  θ）
【００６８】
角度αおよびθは折り線４３，４５の設計を可能にする。
【００６９】
折り線５２，６６の交点は、線６６の部分６７と折り線４３，５９の間に含まれる折り線３１の部分とが形成する角度γを計算することで定まる。
【００７０】
特に、山形頂部４の折り曲げが終わってパネルＡが他のパネルの全ての上に重ねられた後の折り線４５と折り線４３とが形成する角度γは角度θ２  の関数である。
【００７１】
角度γは次式で計算できる。
［数７］
γ  ＝  ｛  α−（  θ２  −  α  ）｝／  ２
ここで角度θ２は次式で得ることができる。
［数８］
θ２  ＝  ２ｓｉｎ−１（（ｃ／２）／ｌ１  ）
【００７２】
したがって、角度γを計算するために次式が得られる。
【数９】
2007532414.tif 000003
【００７３】
角度γが分かると、折り線６６の部分６７を設計して、折り線５２，６６の間の交点を得ることができる。折り線６６の部分６８は上述の交点と中間点６１とを結ぶことで得られる。
【００７４】
図８は全体を符号１で示された、頂部角度αと傾斜頂壁１０の長さｌの値を変えて上述の方法で得ることのできる山形頂部パッケージの他の例を示している。
【００７５】
本発明によるパッケージ１および１’の利点を以下の説明で明らかにする。
【００７６】
特に、パッケージ１および１’の側頂壁１８，１９上の形成は、シート包装材料２のパネルＡ，Ｂ，Ｃ，Ｄ，Ｅ，Ｆ，Ｇをそれぞれの折り線の回りに剛体として回転させることで達成されるということを単純に条件化することで、包装材料の適当な折り曲げとパッケージの適切な閉蓋とを保証する一方で山形頂部４の寸法および形状の多様化を可能にする。
【００７７】
さらに、包装材料２のさまざまな部分（パネルＡ，Ｂ，Ｃ，Ｄ，Ｅ，Ｆ，Ｇ）の折り曲げが回転によって達成され、従って関連する変形やそれによる応力を生じないという事実により、包装材料の他の層よりも確実に可撓性の小さいアルミニウムの無傷性が形成段階において犯されることはない。
【００７８】
従属請求項の範囲から逸脱せずに本明細書で説明および図示したようなパッケージ１，１’に変化を与えることができることは明らかである。
【００７９】
特に、縁部２１および折り線３１，３３の間に含まれるパッケージ１，１’の主部３はどのような設計形状を有することもできることが理解されるであろう。
【００８０】
さらに、各折り代部分４６，４７において、折り線６５，６６の部分６８は、それぞれ中間点６０，６１へ向かう一つの線に集中するそれぞれ短部を有する二本の平行線によって少なくとも一部が定められる。このようにして、折り線６５，６６の部分６８の範囲で、重ねられるパネルの厚さによる包装材料の変形は軽減される。
【図面の簡単な説明】
【００８１】
【図１】本発明による山形頂部のパッケージの斜視図である。
【図２】図１のパッケージの上部の拡大斜視図である。
【図３】図１のパッケージを製造する中間製品を構成する枕形パックの斜視図である。
【図４】図１のパッケージを製造する中間製品を構成する枕形パックの異なる斜視図である。
【図５】折り曲げ時の図３および図４の枕系パックの上部の拡大斜視図である。
【図６】図１のパッケージを製造するための折り線を備えたシート状包装材料である。
【図７】図６のシート状包装材料の一部分の拡大図である。
【図８】穂派による山形頂部パッケージの他の実施例の斜視図である。
【符号の説明】
【００８２】
１  パッケージ
２  包装材料
３  主部
４  山形頂部
５  基底壁
６  前壁
７  後壁
８，９  側壁
１０  前側傾斜頂壁
１１  後側傾斜頂壁
１２  頂部横方向シール
１３，１４  頂部側方折り代
１５  側縁
１８，１９  側頂壁
２０  頂部
２１  縁部
２２  縁部
２３  長手方向シール
２６  中間的なパック
２８  基本部分
２９  上側テーパー端部
３０  折り線パターン
３１，３３，３５，３６，３７，３８  折り線
４０，４２，４３，４４，４５  折り線
４６，４７  折り代部分
４８，４９  部分
５０，５２，５３，５４，５５，５６，５７，５８，５９  折り線
６０，６１  中間点
６５，６６  断続折り線
６７，６８  部分
【図１】
2007532414.tif 000007
【図２】
2007532414.tif 000008
【図３】
2007532414.tif 000009
【図４】
2007532414.tif 000010
【図５】
2007532414.tif 000011
【図６】
2007532414.tif 000012
【図７】
2007532414.tif 000013
【図８】
2007532414.tif 000014
【国際調査報告】
2007532414.tif 000015
2007532414.tif 000016
2007532414.tif 000017